(57)【要約】【課題】キャップを利用してスコア等の破断部を破断する際に、誰でも容易に行うことができるワンタッチ開封ノズルキャップを提供する。【解決手段】容器Ｐの口部Ｐ１を密封する中蓋体１０を設ける。該中蓋体１０の上部にヒンジ２１を介して着脱自在に装着されたキャップ体２０を設ける。中蓋体１０のヒンジ２１に対向する端部がわに筒状の注出部１１を設ける。注出部１１の内部にスコア１２を介して破断開口片１３を設ける。破断開口片１３を押圧せしめる押圧突起２３をキャップ体２０の下面に突設する。押圧突起２３が破断開口片１３を斜めに押圧してスコア１２を破断するように構成する。【選択図】  図１
2014084117.tif 000002
【特許請求の範囲】
【請求項１】
容器の口部を密封する中蓋体と、該中蓋体の上部にヒンジを介して着脱自在に装着されたキャップ体とを備え、中蓋体のヒンジに対向する端部がわに該中蓋体から上方に突出する筒状の注出部を設けると共に、該注出部の内部にスコアを介して破断開口片を設け、該破断開口片を押圧せしめる押圧突起をキャップ体の下面に突設し、該押圧突起上のキャップ体を下方に押し込んだときに押圧突起が破断開口片を斜めに押圧してスコアを破断するように構成したことを特徴とするワンタッチ開封ノズルキャップ。
【請求項２】
前記キャップ体は、前記中蓋体のヒンジに対向する位置の側面に開封帯を介して連結され、該開封帯を切除したときに前記キャップ体の開封帯がわが下向きに押圧されるように構成した請求項１記載のワンタッチ開封ノズルキャップ。
【請求項３】
前記注出部は、前記押圧突起が上方から斜めに侵入するように注出部の開口上部が拡開するテーパーを設けた請求項１記載のワンタッチ開封ノズルキャップ。
【請求項４】
前記破断開口片において、前記押圧突起により前記スコアが破断されると、前記注出部から下方に向けて破断開口片が折れ曲がるように構成された請求項１記載のワンタッチ開封ノズルキャップ。
【請求項５】
前記破断開口片において、前記押圧突起により前記スコアが破断されると、前記注出部から切り離された前記破断開口片が前記押圧突起の下端面に嵌合するように構成し、前記押圧突起と共に前記注出部から抜き出すように設けた請求項１記載のワンタッチ開封ノズルキャップ。
【発明の詳細な説明】
【技術分野】
【０００１】
本発明は、例えば醤油、ソース、食用油等の液体を収容する容器口部に設けられ、容器口部を密封する本体に形成されたスコア等の破断部を、キャップの操作で破断することができるワンタッチ開封ノズルキャップに関するものである。
【背景技術】
【０００２】
従来、容器の口部を密封する本体と、該本体の上部に着脱自在に嵌合するキャップ体とによって構成されているキャップがある。本体には、環状に形成されたスコアが形成されており、このスコアを強制的に破断することで、本体が開口するものである。このスコアの破断には、例えば、プルリングを本体に設け、該プルリングを引き上げてスコアを破断する手段などが採用されている。しかし、プルリングを引き上げるには、比較的大きな力を要するため、非力な者では破断できない場合もあった。そこで、より簡単にスコア等を破断できるようにする構成として、スコア等の破断部を上から押し込んで開口させる構造のキャップが提案されている。
【０００３】
特許文献１に記載のキャップでは、本体に筒状の抽出部を形成し、この抽出部の口にスコアを介して上向きに栓部を突設したものである。そして、キャップ体の天板部にて栓部を下向きに押し込むことで、スコアが破断し、抽出部の口部が開口する構造を採用している。
【先行技術文献】
【特許文献】
【０００４】
【特許文献１】特許第４０３５２１４号公報
【発明の概要】
【発明が解決しようとする課題】
【０００５】
特許文献１に記載の如く、キャップ体を利用してスコア等を破断するには、キャップ体を水平に保ちながら下向きに押し込む必要があった。仮にキャップ体が傾いた状態で押し込もうとすると、スコア等の破断部に想定した負荷がかからず、スコアが破断できなくなる不都合があった。
【０００６】
特に、本体に設けられた抽出部の位置が容器の開口部の中心からずれた位置にあるときは、スコアを破断する負荷が容器開口部の中心から偏芯した位置に加わるので、キャップ体を押し込む際に傾き易くなる。そうすると、キャップ体を水平に維持しながら押し込む操作が更に困難になる。また、子供や老人などの非力な者が利用する場合でも、キャップ体を水平に維持しながら押し下げてスコアを破断する作業は難しい操作になっていた。
【０００７】
更に、特許文献１では、スコアを破断し易くするために栓部の上端部に傾斜面部を形成しており、この傾斜面部にキャップ体の天板部が接触することで、スコアの一部から順次破断するように構成している。ところが、キャップの天板部で栓部を水平に押し下げなければこの傾斜面部の効果は得られないもので、キャップの向きが傾いてしまうと、栓部に十分な負荷が伝わらず、スコアの破断ができなくなる虞もある。
【０００８】
しかも、特許文献１によると、栓部を押し下げてスコアを破断した後は、抽出部の中に栓部が押し込まれた状態になっている。そのため、容器から内容物を抽出するには、この栓部を抽出部から取り除く手間が必要になっていた。
【０００９】
そこで、本発明は上述の課題を解消すべく創出されたもので、キャップを利用してスコア等の破断部を破断する際に、誰でも容易に行うことができ、しかも、破断後は抽出部の口が開口した状態になるワンタッチ開封ノズルキャップの提供を目的とするものである。
【課題を解決するための手段】
【００１０】
上述の課題を解決すべく本発明の第１の手段は、容器Ｐの口部Ｐ１を密封する中蓋体１０と、該中蓋体１０の上部にヒンジ２１を介して着脱自在に装着されたキャップ体２０とを備え、中蓋体１０のヒンジ２１に対向する端部がわに該中蓋体１０から上方に突出する筒状の注出部１１を設けると共に、該注出部１１の内部にスコア１２を介して破断開口片１３を設け、該破断開口片１３を押圧せしめる押圧突起２３をキャップ体２０の下面に突設し、該押圧突起２３上のキャップ体２０を下方に押し込んだときに押圧突起２３が破断開口片１３を斜めに押圧してスコア１２を破断するように構成したことにある。
【００１１】
第２の手段において、前記キャップ体２０は、前記中蓋体１０のヒンジ２１に対向する位置の側面に開封帯１４を介して連結され、該開封帯１４を切除したときに前記キャップ体２０の開封帯１４がわが下向きに押圧されるように構成したものである。
【００１２】
第３の手段の前記注出部１１は、前記押圧突起２３が上方から斜めに侵入するように注出部１１の開口上部が拡開するテーパー１１Ａを設けている。
【００１３】
第４の手段の前記破断開口片１３において、前記押圧突起２３により前記スコア１２が破断されると、前記注出部１１から下方に向けて破断開口片１３が折れ曲がるように構成されたものである。
【００１４】
第５の手段の前記破断開口片１３において、前記押圧突起２３により前記スコア１２が破断されると、前記注出部１１から切り離された前記破断開口片１３が前記押圧突起２３の下端面に嵌合するように構成し、前記押圧突起２３と共に前記注出部１１から抜き出すように設けたものである。
【発明の効果】
【００１５】
本発明の請求項１のごとく、押圧突起２３上のキャップ体２０を下方に押し込んだときに押圧突起２３が破断開口片１３を斜めに押圧してスコア１２を破断するように構成したことで、従来のように、キャップを水平に維持しながら押し込む操作は必要なくなり、押圧突起２３上のキャップ体２０をめがけて強く押し込む操作でスコア１２を容易に破断することができる。
【００１６】
しかも、押圧突起２３が破断開口片１３を斜めに押圧してスコア１２を破断する構成なので、押圧力をヒンジ２１に集中させることができる。この結果、子供や老人等の非力な者でも容易に操作することができる。
【００１７】
請求項２のように、キャップ体２０は、中蓋体１０のヒンジ２１に対向する位置の側面に開封帯１４を介して連結され、該開封帯１４を切除したときにキャップ体２０の切除端部が下向きに押圧されるように構成したことで、使用時までキャップ体２０及び中蓋体１０は押圧突起２３で保護され、不用意に破断するのを防止できる。
【００１８】
請求項３のごとく、押圧突起２３が注出部１１に斜めに侵入するように注出部１１の開口上部が拡開するテーパー１１Ａを設けているので、押圧突起２３が破断開口片１３を斜めに押圧し易くなる。しかも、このテーパー１１Ａは、注出部１１から内容物を抽出する際にも有効に機能する。
【００１９】
請求項４のように、スコア１２が破断されると、中蓋体１０の下面に破断開口片１３が折れ曲がるように構成することで、スコア１２破断後は、特許文献１のごとく、栓部を抽出部から取り除く手間を要することなく、抽出部が開口した状態になる。
【００２０】
請求項５のように、スコア１２が破断されると、前記押圧突起２３の下端面に嵌合して前記押圧突起２３と共に前記注出部１１から抜き出すように構成したことで、スコア１２破断後は、特許文献１のごとく、栓部を抽出部から取り除く手間を要することなく、抽出部が開口した状態になると共に、切り離した破断開口片１３を押圧突起２３から簡単に除去することができる。
【００２１】
このように、本発明によると、キャップを利用してスコア等の破断部を破断する際に、誰でも容易に行うことができ、しかも、破断後は抽出部の口が開口した状態になるなどといった産業上、有益な種々の効果を奏するものである。
【図面の簡単な説明】
【００２２】
【図１】本発明の一実施例を示しキャップ体を開いた状態の断面図である。
【図２】本発明の一実施例を示しキャップ体を閉じた状態の断面図である。
【図３】本発明の一実施例を示し開封帯を除去した状態の断面図である。
【図４】本発明の一実施例を示し押圧突起を押し下げた状態の断面図である。
【図５】本発明の一実施例を示しスコアを破断した後の断面図である。
【図６】本発明の一実施例を示し使用後キャップ体を施蓋した断面図である。
【図７】本発明の一実施例を示し破断開口片の下方斜視図である。
【図８】本発明の一実施例を示し破断開口片を開けた下方斜視図である。
【図９】本発明の一実施例を示し破断開口片が残った下方斜視図である。
【図１０】本発明の使用状態を示す斜視図である。
【図１１】本発明において開封帯を除去した斜視図である。
【図１２】本発明においてキャップ体を押圧した斜視図である。
【図１３】本発明においてキャップ体を開いた斜視図である。
【図１４】本発明において使用後キャップ体を閉じた斜視図である。
【図１５】本発明の他の実施例を示しキャップ体を開いた状態の断面図である。
【図１６】本発明の他の実施例を示しキャップ体を閉じた状態の断面図である。
【図１７】本発明の他の実施例を示し開封帯を除去した状態の断面図である。
【図１８】本発明の他の実施例を示し押圧突起を押し下げた状態の断面図である。
【図１９】本発明の他の実施例を示し破断開口片を除去した後の断面図である。
【図２０】本発明の他の実施例を示し使用後キャップ体を施蓋した断面図である。
【発明を実施するための形態】
【００２３】
以下、本発明の実施の形態を説明する。本発明の構成は、中蓋体１０とキャップ体２０とで構成され、ポリエチレン等の合成樹脂材により一体成形されるものである。
【００２４】
中蓋体１０は、容器Ｐの口部Ｐ１を密封する合成樹脂製の部材で、容器Ｐから内容物を抽出するための注出部１１が設けられている。この注出部１１の内部には、スコア１２を介して破断開口片１３が設けられている（図１参照）。そして、使用時には、この破断開口片１３を後述するキャップ体２０の押圧突起２３で押圧して開口するものである（図２参照）。図示の中蓋体１０は、容器Ｐの口部Ｐ１に嵌合する嵌合部１５と、口部Ｐ１を閉塞する天板１６とを有するもので、この天板１６に注出部１１を突設している。また、天板１６には、嵌合部１５から注出部１１に至る補強部１６Ａを設けている（図１参照）。
【００２５】
キャップ体２０は、中蓋体１０の上部にヒンジ２１を介して着脱自在に装着された部材である（図１参照）。中蓋体１０の注出部１１は、このヒンジ２１に対向する端部よりに配置され、中蓋体１０から上方に突出する筒状を成している。キャップ体２０の下面には、注出部１１の内部に挿入して破断開口片１３を押圧する押圧突起２３を突設している（図２参照）。
【００２６】
本発明では、押圧突起２３上のキャップ体２０を下方に押し込んだときに、押圧突起２３が破断開口片１３を斜めに押圧するように構成している。図示例では、押圧突起２３の下端部に突起状の切刃２３Ａを設けてある（図１参照）。そして、破断開口片１３に対して斜めに押圧する押圧突起２３によってスコア１２が破断され、破断開口片１３が注出部１１から切り離されるものである（図２参照）。このとき、注出部１１の上部にはテーパー１１Ａを設けている。このテーパー１１Ａに沿って押圧突起２３が斜め上方から注出部１１内に侵入するようにしている。
【００２７】
開封前のキャップ体２０は、開封帯１４で中蓋体１０の側面に固定されている（図２参照）。この開封帯１４は、キャップ体２０のヒンジ２１に対向する位置の端部側を中蓋体１０の側面に連結して固定しており、破断開口片１３を押圧突起２３で開封する際に、中蓋体１０から開封帯１４を切除する（図３参照）。そして、開封帯１４が除去されると、キャップ体２０の開封帯１４がわが下向きに押圧されるように構成している（図４参照）。
【００２８】
キャップ体２０の端部を下向き押圧すると、押圧突起２３が破断開口片１３を押圧し、スコア１２が破断する（図４参照）。その後、押し下げたキャップ体２０を持ち上げて中蓋体１０からキャップ体２０を離すと、注出部１１から内容物を抽出させることができる状態になる（図５参照）。使用後は、再びキャップ体２０を中蓋体１０に被せ、本体１０の係止凹部１７にキャップ体２０の係止爪２４を嵌合させるものである（図６参照）。
【００２９】
図１乃至図９に示す破断開口片１３は、押圧突起２３によりスコア１２が破断されると、注出部１１から下方に向けて破断開口片１３が折れ曲がるように構成したものである。図示例では、注出部１１の下端部にスコア１２に沿ったリング状の支持突起１１Ｂを設け、この支持突起１１Ｂに沿ってスコア１２が破断するように構成している（図７参照）。そして、支持突起１１Ｂを一部切り欠くと共に、この切欠部分にはスコア１２を設けずに、破断開口片１３が注出部１１に残るようにしている。破断開口片１３が押圧突起２３で押し下げられると、下向きに開いた破断開口片１３が支持突起１１Ｂの切欠部分に係止する（図８参照）。そして、注出部１１から押圧突起２３を引き抜くと、注出部１１が開口した状態になるものである（図９参照）。
【００３０】
図１０乃至図１４に、本発明の使用手順を示している。すなわち、図１０は、容器Ｐに内容物を充填後施蓋した状態を示し、この状態で輸送・販売される。消費者が購入した後、内容物を抽出するには、まず、開封帯１４を切除する（図１１参照）。次に、ヒンジ２１と反対側のキャップ体２０端部を強く押し下げるとスコア１２が破断して破断開口片１３が注出部１１から離れる（図１２参照）。更に、中蓋体１０からキャップ体２０を開けると、注出部１１が開口した状態で現れるので、この注出部１１から内容物を抽出する（図１３参照）。使用後は、再びキャップ体２０で中蓋体１０を施蓋する（図１４参照）。
【００３１】
また、図１５乃至図２０に示す破断開口片１３は、押圧突起２３によりスコア１２が破断されると、注出部１１から切り離された破断開口片１３が押圧突起２３の下端面に嵌合するように構成し、押圧突起２３と共に注出部１１から抜き出すように設けたものである。図示例では、破断開口片１３の周囲にスコア１２を形成し、破断開口片１３が押圧突起２３に嵌合し易いように、上方に向けて突出した形状の破断開口片１３を形成している（図１５参照）。一方、押圧突起２３は、この押圧突起２３を収納する筒状に形成している。
【００３２】
図１６は、容器Ｐに内容物を充填後施蓋した状態を示し、この状態で輸送・販売される。消費者が購入した後、内容物を抽出するには、まず、開封帯１４を切除する（図１７参照）。次に、ヒンジ２１と反対側のキャップ体２０端部を強く押し下げるとスコア１２が破断して破断開口片１３が注出部１１から離れ、押圧突起２３の内部に収納
される（図１８参照）。更に、中蓋体１０からキャップ体２０を開けると、注出部１１が開口した状態で現れるので、この注出部１１から内容物を抽出する。このとき、押圧突起２３の内部に切除された破断開口片１３が収納されている（図１９参照）。使用後は、再びキャップ体２０で中蓋体１０を施蓋する。このとき、切除された破断開口片１３が押圧突起２３と共に、再び注出部１１の開口部を封止する（図２０参照）。
【００３３】
尚、本発明の構成は図示例に限定されるものではなく、中蓋体１０やキャップ体２０の各構成は、本発明の主旨を変更しない範囲で任意に変更することができる。また、容器Ｐの用途なども自由に選択することができるものである。
【符号の説明】
【００３４】
Ｐ  容器
Ｐ１  口部
１０  中蓋体
１１  注出部
１１Ａ  テーパー
１２  スコア
１３  破断開口片
１４  開封帯
１５  嵌合部
１６  天板
１６Ａ  補強部
１７  係止凹部
２０  キャップ体
２１  ヒンジ
２２  天板
２３  押圧突起
２３Ａ  切刃
２４  係止爪
【図１】
2014084117.tif 000003
【図２】
2014084117.tif 000004
【図３】
2014084117.tif 000005
【図４】
2014084117.tif 000006
【図５】
2014084117.tif 000007
【図６】
2014084117.tif 000008
【図７】
2014084117.tif 000009
【図８】
2014084117.tif 000010
【図９】
2014084117.tif 000011
【図１０】
2014084117.tif 000012
【図１１】
2014084117.tif 000013
【図１２】
2014084117.tif 000014
【図１３】
2014084117.tif 000015
【図１４】
2014084117.tif 000016
【図１５】
2014084117.tif 000017
【図１６】
2014084117.tif 000018
【図１７】
2014084117.tif 000019
【図１８】
2014084117.tif 000020
【図１９】
2014084117.tif 000021
【図２０】
2014084117.tif 000022